(57)【要約】【課題】日差しの強い屋外、雪面、夕暮れ時、夜間等においても、視力の弱い者であっても、カメラの液晶モニターを容易に視認することができるようにする。液晶モニターでも撮影すべき写真の構図を正確に定めることができるようにする。【解決手段】光学ファインダー５と、該光学ファインダーを支持する支持体７とよりなり、該支持体には該支持体を折り畳むための折畳み手段１５と該支持体をカメラ３に着脱自在に取り付けるための取付手段１７とを備えさせたことを特徴とするカメラの液晶モニターを視認するための外付け光学ファインダー。前記取付手段は、支持体に透孔２１を備えさせ、該透孔に雄ねじ体を挿通させ、該雄ねじ体をカメラにおける三脚用の取付ねじ孔に螺合させてなる。【選択図】図１
0003124799.tif 000002
【実用新案登録請求の範囲】
【請求項１】
光学ファインダーと、該光学ファインダーを支持する支持体とよりなり、該支持体には該支持体を折り畳むための折畳み手段と該支持体をカメラに着脱自在に取り付けるための取付手段とを備えさせたことを特徴とするカメラの液晶モニターを視認するための外付け光学ファインダー。
【請求項２】
前記取付手段は、支持体に透孔を備えさせ、該透孔に雄ねじ体を挿通させ、該雄ねじ体をカメラにおける三脚用の取付ねじ孔に螺合させてなることを特徴とする請求項１に記載のカメラの液晶モニターを視認するための外付け光学ファインダー。
【考案の詳細な説明】
【技術分野】
【０００１】
本考案は、カメラの液晶モニターを視認するための外付け光学ファインダーに関するものであり、更に詳しくは、液晶モニターを備え、かつ、光学ファインダーを内設していないカメラに着脱自在に取り付け、該液晶モニターを視認するために用いられる外付け光学ファインダーに係るものである。
【０００２】
本考案におけるカメラは、写真撮影用のカメラのみならず、ビデオカメラをも含むものとする。
【背景技術】
【０００３】
液晶モニターを備えたカメラは、例えば実開平３−２０５７６号公報に開示されている。
【特許文献１】実開平３−２０５７６号公報
【考案の開示】
【考案が解決しようとする課題】
【０００４】
しかるに、カメラの液晶モニターは、日差しの強い屋外、雪面、夕暮れ時、夜間等においては、何人にとっても極めて見づらいものである。また、カメラの液晶モニターは、視力の弱い者にとっては、常に見にくいものである。更に、カメラの液晶モニターでは、撮影すべき写真の構図を正確に定めることが困難である。
【０００５】
液晶モニターを備えると共に光学ファインダーを内設しているカメラにおいては、上述の如き問題は該光学ファインダーを用いることにより解消するのであるが、実際には、液晶モニターを備えてはいるものの光学ファインダーを内設していないカメラが多い。
【０００６】
このような状況に鑑み、本考案は、液晶モニターを備え、かつ、光学ファインダーを内設していないカメラにおいて、液晶モニターに関する上述の如き問題を解決しようとしてなされたものである。
【課題を解決するための手段】
【０００７】
上記課題を解決するために、本考案は、下記の外付け光学ファインダーを提供する。
【０００８】
（１）光学ファインダーと、該光学ファインダーを支持する支持体とよりなり、該支持体には該支持体を折り畳むための折畳み手段と該支持体をカメラに着脱自在に取り付けるための取付手段とを備えさせたことを特徴とするカメラの液晶モニターを視認するための外付け光学ファインダー（請求項１）。
【０００９】
（２）前記取付手段は、支持体に透孔を備えさせ、該透孔に雄ねじ体を挿通させ、該雄ねじ体をカメラにおける三脚用の取付ねじ孔に螺合させてなる（請求項２）。
【考案の効果】
【００１０】
［請求項１の考案］
液晶モニターを備え、かつ、光学ファインダーを内設していないカメラにおいては、必要に応じて、外付け光学ファインダーをカメラに取り付けることができる。この外付け光学ファインダーを介して液晶モニターを視認することにより、日差しの強い屋外、雪面、夕暮れ時、夜間等においても、視力の弱い者の場合でも、該液晶モニターを全く支障なく使用することができる。また、この外付け光学ファインダーを介して液晶モニターを視認すれば、撮影すべき写真の構図を正確に定めることができる。
【００１１】
外付け光学ファインダーは、非使用時には、カメラから取り外すことができる。また、支持体を折畳み手段により折り畳むことにより、外付け光学ファインダーを一時的に非使用位置に待避させることもできる。
【００１２】
外付け光学ファインダーは、構造が簡単であって安価に提供することができ、嵩張らないため携帯、保管等にも好都合である。
【００１３】
［請求項２の考案］
取付手段は、支持体に透孔を備えさせ、該透孔に雄ねじ体を挿通させ、該雄ねじ体をカメラにおける三脚用の取付ねじ孔に螺合させてなるものであるため、三脚用の取付ねじ孔を備えたカメラであれば、カメラ本体に何らの加工を施すことなく、外付け光学ファインダーをカメラに極めて容易に取り付けることができる。
【考案を実施するための最良の形態】
【００１４】
本考案は、液晶モニター１を備え、かつ、光学ファインダーを内設していないカメラ３について、適用される。
【００１５】
本考案による外付け光学ファインダーは、光学ファインダー５と、該光学ファインダー５を支持する支持体７とよりなる。
【００１６】
光学ファインダー５は、一例として、支持体７にレンズ支持枠９を設け、該レンズ支持枠９内の透孔１１にレンズ１３を嵌着してなるものとする。
【００１７】
使用者は、光学ファインダー５をカメラ３の液晶モニター１を視認するに適した位置に設定し、該光学ファインダー５を介して液晶モニター１を視認する。
【００１８】
支持体７には該支持体７を折り畳むための折畳み手段１５と該支持体７をカメラ３に着脱自在に取り付けるための取付手段１７とを備えさせる。
【００１９】
折畳み手段１５は、一例として、支持体７に第一杆７ａと第二杆７ｂとを備えさせ、該第一杆７ａと第二杆７ｂとを枢軸１９を介して相互に回動自在に枢着してなるものとする。
【００２０】
支持体７をカメラ３に着脱自在に取り付けるための取付手段１７は、一例として、支持体７に透孔２１を備えさせ、該透孔２１に雄ねじ体２３を挿通させ、該雄ねじ体２３をカメラ３における三脚用の取付ねじ孔２５に螺合させてなるものとする。
【００２１】
図示の事例においては、支持体７における第二杆７ｂにカメラ３の底部に係止させるための係止片２７を回動自在に取り付けている。係止片２７は先端を屈曲させて係止部２７ａとしている。
【図面の簡単な説明】
【００２２】
【図１】本考案による外付け光学ファインダーをカメラに取り付けた状態を示す斜視図である。
【図２】同上の側面図である。
【図３】光学ファインダーを介して液晶モニターを視認している状態を示す説明図である。
【符号の説明】
【００２３】
１  液晶モニター
３  カメラ
５  光学ファインダー
７  支持体
７ａ  第一杆
７ｂ  第二杆
９  レンズ支持枠
１１  透孔
１３  レンズ
１５  折畳み手段
１７  取付手段
１９  枢軸
２１  透孔
２３  雄ねじ体
２５  三脚用の取付ねじ孔
２７  係止片
２７ａ  係止部
【図１】
0003124799.tif 000003
【図２】
0003124799.tif 000004
【図３】
0003124799.tif 000005